(57)【要約】【課題】  蔦植物によるコンクリート擁壁の緑化に最適で、且つ廃棄物利用によって安価に製造できるコンクリート擁壁緑化用ブロック板を提供する。【解決手段】  筒状に丸まっている形状を含むカンナ屑（産業廃棄物）と適宜な接着剤とを混合して固化させて形成した多孔質板を植生基板１とし、前記植生基板の上縁及び下縁を、相対称に背面側が下方に位置する傾斜面２，３に形成してなるもので、筒状に丸まっている形状を含むカンナ屑を接着剤で固めるため、簡単に保水能力の高い多孔質板を製出でき、しかも産業廃棄物を利用することになるので安価に製造できる。【選択図】  図１
0003106446.tif 000002
【実用新案登録請求の範囲】
【請求項１】
筒状に丸まっている形状を含むカンナ屑と適宜な接着剤とを混合して固化させて形成した多孔質板を植生基板とし、前記植生基板の上縁及び下縁を、相対称に背面側が下方に位置する傾斜面に形成してなることを特徴とするコンクリート擁壁緑化用ブロック板。
【請求項２】
縦横寸法を各々３０〜１２０ｃｍの範囲とした植生基板の上縁背面に、薄板状で且つ上縁突出部分に鋲孔を設けた仮止め用止着板を付設すると共に、下縁背面に、前記仮止め用止着板の突出部分と対応する凹部を設けてなる請求項１記載のコンクリート擁壁緑化用ブロック板。
【請求項３】
カンナ屑に肥効成分を含有する培土を添加混入して多孔質の植生基板としてなる請求項１又は２記載のコンクリート擁壁緑化用ブロック板。
【考案の詳細な説明】
【技術分野】
【０００１】
本考案は、コンクリート擁壁の蔦植物による緑化を実現するためのブロック板に関するものである。
【背景技術】
【０００２】
コンクリート擁壁の緑化手段として、つる植物（蔦植物を含む）を使用することは従前より知られている。このつる植物の育成補助として、つる植物の蔓が絡み易いように網板を擁壁前面に配置する手段（特許文献１，２）や、つるが絡まる係止部を設ける手段（特許文献３，４）が提案されている。
【０００３】
また特許文献５には、保水性を有し、且つ根付けが可能である基板を使用して蔦植物の促成栽培を行った後、根付けがなされた当該基板と一緒に緑化対象箇所に壁面に接地する手段が開示されている。
【０００４】
【特許文献１】特開平３−２３２４５号公報。
【特許文献２】特開平９−２９４４６７号公報。
【特許文献３】特開平６−２１７６４８号公報。
【特許文献４】特開２００１−１９３０８３号公報。
【特許文献５】特開平４−１１８４２０号公報。
【考案の開示】
【考案が解決しようとする課題】
【０００５】
コンクリート擁壁を蔦植物で緑化する際に、網や係止部等のつるが絡まる箇所を形成したとしても、コンクリート擁壁では、根張りがし難いし、且つ擁壁に保水能力をもとめることができないので、植物の育成用の水分や養分は専ら擁壁下方若しくは上方に設けた培地部分から吸収することになり、蔦植物の育成が遅く、擁壁緑化に時間を要してしまう。
【０００６】
また特許文献５には保水性を有する基板を使用しての栽培促進手段が開示されているが、保水性を有する基板の例として、木製、紙製、又は無数の透孔を有するコンクリート板を示しているに過ぎなく、例示されている基板は、安価で且つ充分な保水性を確保しているものとはいえない。更に栽培地から緑化箇所への移動が煩雑であり、特に分割されている基板を使用する場合には、前記の移植作業が非常に煩雑となる。
【０００７】
そこで本考案は、安価で且つ取り扱い易く蔦植物によるコンクリート擁壁の緑化に最適なコンクリート擁壁緑化用ブロック板を提案したものである。
【課題を解決するための手段】
【０００８】
本考案に係るコンクリート擁壁緑化用ブロック板は、筒状に丸まっている形状を含むカンナ屑と適宜な接着剤とを混合して固化させて形成した多孔質板を植生基板とし、前記植生基板の上縁及び下縁を、相対称に背面側が下方に位置する傾斜面に形成してなることを特徴とするものである。
【０００９】
而して前記ブロック板を、背面に適宜な接着剤を塗布して、上下に隣接するブロック板の傾斜面が当接するようにコンクリート擁壁の下方から順次張り付けていき、コンクリート擁壁下方部分に蔦植物を植栽するもので、植栽された蔦植物は、植生基板の多数の小孔に根を張ると共に、多孔質に基づく保水力によって蔦植物が速やかに繁殖して緑化が実現するものである。
【００１０】
また本考案（請求項２）は、特に植生基板の縦横寸法を各々３０〜１２０ｃｍの範囲とし、植生基板の上縁背面に、薄板状で且つ上縁突出部分に鋲孔を設けた仮止め用止着板を付設すると共に、下縁背面に、前記仮止め用止着板の突出部分と対応する凹部を設けてなるものである。
【００１１】
従ってブロック板の擁壁への貼り付けに際して、仮止め止着板の鋲孔を使用して擁壁に鋲止めし、且つ凹部によって鋲止め部分が邪魔にならず、接着剤固化までの間にブロック板の剥離が生じないようにしたものである。
【００１２】
更に本考案（請求項３）は、特にカンナ屑に肥効成分を含有する培土を添加混入して多孔質の植生基板としてなるもので、植生基板に根を張った蔦植物は、雨水によって溶出する肥効成分を吸収して繁殖するものである。
【考案の効果】
【００１３】
本考案のコンクリート擁壁緑化用ブロック板は、上記の通り筒状に丸まっている形状を含むカンナ屑を接着剤で固めたもので、簡単に保水能力の高い多孔質板を製出でき、しかも産業廃棄物を利用することになるので安価に製造でき、またブロック板の積層貼り付けに際して、上下隣接ブロック板の端縁傾斜面によって上方ブロック板が係止されるので、剥離防止効果があると共に、張り付け作業が容易になり、植生基板の保水力によって蔦植物の生育が促進され、緑化が早期に実現する。
【００１４】
また本考案（請求項２）は、植生基板の大きさを特定し、且つ仮止め用止着板とこれに対応する凹部を設けたもので、仮止めを実施することで、貼り付け用接着剤による固定が確実になされる。
【００１５】
更に本考案（請求項３）は、基板内に肥効成分を含有する培土を添加混入しているので、植生基板に根を張った蔦植物の繁殖がより速やかに行われる。
【考案を実施するための最良の形態】
【００１６】
次に本考案の実施形態について説明する。実施形態の植生基板１は、少なくとも一部は、筒状に丸まっている形状であるカンナ屑に、適宜な接着剤（人口培土の接着剤として多用されているエポキシ系樹脂やウレタン系樹脂の接着剤）を、同量程度混合して、縦横寸法を各々３０〜１２０ｃｍ（好ましくは縦長５０ｃｍ、横幅１００ｃｍ、厚さ２ｃｍ程度で全重量２ｋｇ程度）の板状に固化させたものである。
【００１７】
特に前記の固形化に際して、特に上縁及び下縁を、相対称に背面側が下方に位置する傾斜面２，３に形成してなる。また必要に応じてカンナ屑量１００に対しての最大６０以下の範囲で肥効成分を含有する培土を添加混入しても良い。
【００１８】
更に背面上端に仮止め用止着板４を設けたもので、この止着板４は金属板や樹脂板で形成した薄板上で、下方部分が植生基板１に埋設され、上方部分が上縁傾斜面２より突出し、この突出部分に鋲孔５を設けている。
【００１９】
また基板１の下縁背面には、前記仮止め用止着板４の突出部分と対応する凹部６を設けてなるものである。
【００２０】
而して前記ブロック板（植生基板１）を、背面に適宜な接着剤（コンクリート用コーキング剤）を塗布して、緑化対象のコンクリート擁壁Ａの所定箇所に貼着すると共に、鋲孔５から仮止め用鋲Ｂを擁壁Ａに打ち込んで、当該ブロック板（植生基板１）を擁壁Ａに仮止めする。
【００２１】
そして擁壁Ａに仮止着したブロック板（植生基板１）の上方に更に別のブロック板（植生基板１）を、下方ブロック板（植生基板１）の上縁傾斜面２と上方に連設するブロック板（植生基板１）の下縁傾斜面３とを当接して積み上げ、緑化対象擁壁Ａ全体にブロック板（植生基板１）を貼り付ける。尚この上方への積み上げ連結に際して全体を千鳥配置とすると良い。
【００２２】
擁壁Ａに貼り付けられたブロック板（植生基板１）は、所定期間を経過すると接着剤が固化して、擁壁面にしっかりと固定される。
【００２３】
擁壁Ａ全体にブロック板（植生基板１）が貼り付けられると、擁壁Ａの下方箇所に、緑化材である蔦植物Ｃの植栽を行う。植栽された蔦植物Ｃは、ブロック板（植生基板１）の多数の小孔に根を張ると共に、多孔質に基づく保水力によって速やかに繁殖し、従前の網や係止部を備えた緑化手段に比較して著しく早々に緑化が実現するものである。
【００２４】
またブロック板（植生基板１）に肥効成分を含有する培土を添加混入している場合には、前記の繁殖に際して、雨水によって溶出する肥効成分を吸収し、効果的に繁殖するものである。
【図面の簡単な説明】
【００２５】
【図１】本考案の実施形態の全体斜視図。
【図２】同使用状態の説明図（擁壁への取り付け状態の断面図）。
【図３】同使用状態の説明図（擁壁全体の緑化状態を示す）。
【符号の説明】
【００２６】
１          植生基板（ブロック板）
２          上縁傾斜面
３          下縁傾斜面
４          仮止め用止着板
５          鋲孔
６          凹部
Ａ          コンクリート擁壁
Ｂ          鋲
Ｃ          蔦植物
【図１】
0003106446.tif 000003
【図２】
0003106446.tif 000004
【図３】
0003106446.tif 000005